(57)【要約】【課題】補助シートの利便性の向上を図りつつ、補助シートに対する空調機能の付加に伴う無駄を抑えることが可能な車両用シート構造、メインシート、補助シートを提供する。【解決手段】後席シート１に対して、乗員側に向かって開口する複数の通風口１６に連通し、送風機１４により送風される送風空気が流通する主流通部１５が設けられ、幼児シート２に対して、幼児側の表面に形成された空気の通風部をなす補助側通風部２５に連通する補助側流通部２４が設けられ、後席シート１上に幼児シート２を取り付けた際に、補助側流通部２４が、複数の通風口１６の少なくとも一部を介して主流通部１５に連通する構造となっている。【選択図】図５
2016168944.tif 000002
【特許請求の範囲】
【請求項１】
乗員側に向かって開口する複数のメイン開口部（１６）が形成されたメインシート（１）と、
前記メインシート上に着脱可能に構成され、乗員側の表面に空気の通風部をなす補助側通風部（２５）が形成された補助シート（２）と、を備え、
前記メインシートは、前記複数のメイン開口部に連通すると共に、送風機（１４、１２０）により送風される送風空気が流通する主流通部（１５）が設けられており、
前記補助シートは、前記補助側通風部に連通する補助側流通部（２４）が設けられており、
前記補助側流通部は、前記メインシート上に前記補助シートを取り付けた際に、前記複数のメイン開口部のうち、少なくとも一部のメイン開口部（１６１、１６２）を介して前記主流通部に連通することを特徴とする車両用シート構造。
【請求項２】
前記補助シートには、前記メインシート上に前記補助シートを取り付けた際に前記複数のメイン開口部の少なくとも一部に対向する部位に、前記補助側流通部に連通する補助側開口部（２６）が開口しており、
前記補助側流通部は、前記メインシート上に前記補助シートを取り付けた際に、前記メイン開口部および前記補助側開口部を介して前記主流通部に連通することを特徴とする請求項１に記載の車両用シート構造。
【請求項３】
前記メインシートおよび前記補助シートの少なくとも一方には、前記送風空気の流通経路を、前記送風空気が前記主流通部を流通する流通経路、および前記送風空気が前記主流通部を介して前記補助側流通部を流通する流通経路に切り替える流路切替部（１７、１８、２７）が設けられていることを特徴とする請求項２に記載の車両用シート構造。
【請求項４】
前記流路切替部は、前記送風空気が前記主流通部を介して前記補助側流通部を流通する流通経路を開閉する開閉ドア（１８）で構成されていることを特徴とする請求項３に記載の車両用シート構造。
【請求項５】
前記補助側開口部には、前記補助シートの外側に向かって突出する突出部（２７）が設けられており、
前記突出部は、前記複数のメイン開口部のうち、前記補助側開口部に対向する接続用開口部（１６１ｃ、１６２）に挿入可能に構成されており、
前記開閉ドアは、前記突出部を前記接続用開口部へ挿入した際に、前記送風空気が前記主流通部を介して前記補助側流通部を流通する流通経路を開放するように構成されていることを特徴とする請求項４に記載の車両用シート構造。
【請求項６】
前記突出部は、前記メインシートにおける前記接続用開口部を構成する部位に嵌合可能に構成されており、
前記補助シートは、前記接続用開口部を構成する部位に前記突出部を嵌合することで前記メインシートに連結されることを特徴とする請求項５に記載の車両用シート構造。
【請求項７】
前記補助シートを前記メインシートに連結する連結する連結部材（１ｂ、２ａ）を備え、
前記補助シートは、前記連結部材で前記メインシートに連結した際に、前記補助側開口部の位置が、前記補助シートにおける前記複数のメイン開口部の少なくとも一部に対向するように位置決めされることを特徴とする請求項２ないし５のいずれか１つに記載の車両用シート構造。
【請求項８】
前記複数のメイン開口部のうち、前記補助側開口部に対向しないメイン開口部の少なくとも一部は、前記メインシート上に前記補助シートを取り付けた際に、前記補助シートにおける前記メインシートに対向する部位によって閉塞されることを特徴とする請求項２ないし７のいずれか１つに記載の車両用シート構造。
【請求項９】
前記補助側流通部は、前記主流通部に比べて前記送風空気の流通抵抗が小さくなるように構成されていることを特徴とする請求項１ないし８のいずれか１つに記載の車両用シート構造。
【請求項１０】
前記メインシートは、乗員の上半身側を支持するシートバック（１１）、乗員の下半身側を支持するシートクッション（１２）、前記シートバック、および前記シートクッションの外部に配置された外部ダクト（１３）を有しており、
前記主流通部は、前記シートバックおよび前記シートクッションの少なくとも一方の内部に形成された内部メイン流路（１５１）、前記外部ダクトの内部空間であって前記内部メイン流路に連通する外部メイン流路（１５２）で構成されており、
前記複数のメイン開口部は、前記内部メイン流路に連通する内部通風口（１６１）、前記外部メイン流路に連通する外部通風口（１６２）で構成されており、
前記補助側流通部は、前記メインシート上に前記補助シートを取り付けた際に、前記外部通風口を介して前記主流通部に連通することを特徴とする請求項１ないし９のいずれか１つに記載の車両用シート構造。
【請求項１１】
前記外部ダクトは、前記シートバックと前記シートクッションとの間に形成される隙間に配置されていることを特徴とする請求項１０に記載の車両用シート構造。
【請求項１２】
前記メインシートは、乗員の上半身側を支持するシートバック（１１）、乗員の下半身側を支持するシートクッション（１２）を有しており、
前記主流通部は、前記シートバックおよび前記シートクッションの少なくとも一方の内部に形成された内部メイン流路（１５１）で構成されており、
前記複数のメイン開口部は、前記内部メイン流路に連通する内部通風口（１６１）で構成されており、
前記補助側流通部は、前記メインシート上に前記補助シートを取り付けた際に、前記内部通風口を介して前記主流通部に連通することを特徴とする請求項１ないし９のいずれか１つに記載の車両用シート構造。
【請求項１３】
前記複数のメイン開口部のうち、前記補助側開口部に対向するメイン開口部は、前記メインシートから前記補助シートを取り外した際に、前記送風空気の通風部を構成することを特徴とする請求項１ないし１２のいずれか１つに記載の車両用シート構造。
【請求項１４】
乗員側の表面に空気の通風部をなす補助側通風部（２５）が形成されると共に、前記補助側通風部に連通する補助側流通部（２４）が設けられた補助シート（２）を着脱可能なメインシートであって、
乗員側に向かって開口する複数のメイン開口部（１６）と、
前記複数のメイン開口部に連通すると共に、送風機（１４、１２０）により送風される送風空気が流通する主流通部（１５）と、を備え、
前記主流通部は、前記補助シートが取り付けられた際に、前記複数のメイン開口部のうち、少なくとも一部のメイン開口部（１６１、１６２）を介して前記補助側流通部に連通することを特徴とするメインシート。
【請求項１５】
乗員側に向かって開口する複数のメイン開口部（１６）が形成されると共に、前記複数のメイン開口部に連通すると共に、送風機（１４、１２０）により送風される送風空気が流通する主流通部（１５）が設けられたメインシート（１）上に着脱可能に構成された補助シートであって、
乗員側の表面に形成されて空気の通風部をなす補助側通風部（２５）と、
前記補助側通風部に連通する補助側流通部（２４）と、を備え、
前記補助側流通部は、前記メインシート上に取り付けた際に、前記複数のメイン開口部のうち、少なくとも一部のメイン開口部（１６１、１６２）を介して前記主流通部に連通することを特徴とする補助シート。
【発明の詳細な説明】
【技術分野】
【０００１】
本発明は、メインシート上に補助シートを着脱可能な車両用シート構造、メインシート、および補助シートに関する。
【背景技術】
【０００２】
従来、車両に搭乗した幼児に対して空調の快適性を与えることが可能な幼児用補助装置が知られている（例えば、特許文献１参照）。この特許文献１では、幼児用補助装置である幼児シートに対して、幼児側に空気を送風する専用の空調機器を搭載する構造を採用している。
【先行技術文献】
【特許文献】
【０００３】
【特許文献１】特開２００３−３４１６７号公報
【発明の概要】
【発明が解決しようとする課題】
【０００４】
ところで、特許文献１の幼児シートは、当該幼児シートに着座する幼児に対して快適性を与えることが可能であるが、幼児が成長して幼児シートが不要となると、幼児シートに付加された空調機能を発揮させる機会が失われる。
【０００５】
また、車両の構造体に連結されるメインシートに対して空調機器が設けられている場合には、幼児シートの設置に伴ってメインシートに付加された空調機能を発揮させる機会が失われる。
【０００６】
このように、幼児シートに対して専用の空調機器を搭載することは、一見有用であるとも考えられるが、長期的な観点や、他の空調機器との関係で無駄となる要素が多いといった課題がある。
【０００７】
さらに、幼児シートに対して専用の空調機器を設置すると、幼児シートの重量が増加してユーザによるメインシートへの着脱作業の負担が増加してすることから、利便性に欠けるといった課題もある。
【０００８】
本発明は上記点に鑑みて、補助シートの利便性の向上を図りつつ、補助シートに対する空調機能の付加に伴う無駄を抑えることが可能な車両用シート構造、メインシート、および補助シートを提供することを目的とする。
【課題を解決するための手段】
【０００９】
請求項１に係る発明は、乗員側に向かって開口する複数のメイン開口部（１６）が形成されたメインシート（１）と、メインシート上に着脱可能に構成され、乗員側の表面に空気の通風部をなす補助側通風部（２５）が形成された補助シート（２）と、を備える車両用シート構造に関する。
【００１０】
上記目的を達成するため、請求項１に係る発明は、メインシートは、複数のメイン開口部に連通すると共に、送風機（１４、１２０）により送風される送風空気が流通する主流通部（１５）が設けられており、補助シートは、補助側通風部に連通する補助側流通部（２４）が設けられており、補助側流通部は、メインシート上に補助シートを取り付けた際に、複数のメイン開口部のうち、少なくとも一部のメイン開口部（１６１、１６２）を介して主流通部に連通することを特徴としている。
【００１１】
請求項１４に係る発明は、乗員側の表面に空気の通風部をなす補助側通風部（２５）が形成されると共に、補助側通風部に連通する補助側流通部（２４）が設けられた補助シート（２）を着脱可能なメインシートを対象としている。
【００１２】
上記目的を達成するため、請求項１４に係る発明は、乗員側に向かって開口する複数のメイン開口部（１６）と、複数のメイン開口部に連通すると共に、送風機（１４、１２０）により送風される送風空気が流通する主流通部（１５）と、を備え、主流通部は、補助シートが取り付けられた際に、複数のメイン開口部のうち、少なくとも一部のメイン開口部（１６１、１６２）を介して補助側流通部に連通することを特徴としている。
【００１３】
請求項１５に係る発明は、乗員側に向かって開口する複数のメイン開口部（１６）が形成されると共に、複数のメイン開口部に連通すると共に、送風機（１４、１２０）により送風される送風空気が流通する主流通部（１５）が設けられたメインシート（１）上に着脱可能に構成された補助シートを対象としている。
【００１４】
上記目的を達成するため、請求項１５に係る発明は、乗員側の表面に形成されて空気の通風部をなす補助側通風部（２５）と、補助側通風部に連通する補助側流通部（２４）と、を備え、補助側流通部は、メインシート上に取り付けた際に、複数のメイン開口部のうち、少なくとも一部のメイン開口部（１６１、１６２）を介して主流通部に連通することを特徴としている。
【００１５】
これらによれば、メインシート上に補助シートを取り付けた際に、メインシート側を流れる空気が、補助シート側に流通するので、補助シートに対して専用の空調機器を搭載する従来技術に比べて、補助シートの軽量化を図ることができる。これにより、ユーザによる補助シートの着脱に伴う負担を低減して、ユーザの利便性の向上を図ることが可能となる。
【００１６】
加えて、メインシート側を流れる空気を補助シート側に流通させる構造とすれば、補助シートに対して専用の空調機器を搭載する従来技術に比べて、補助シートの簡素化を図ることができる。このため、補助シートに対する空調機能の付加に伴う無駄を抑えることができる。
【００１７】
従って、補助シートの利便性の向上を図りつつ、補助シートに対する空調機能の付加に伴う無駄を抑えることが可能となる。
【００１８】
なお、この欄および特許請求の範囲で記載した各手段の括弧内の符号は、後述する実施形態に記載の具体的手段との対応関係の一例を示すものである。
【図面の簡単な説明】
【００１９】
【図１】第１実施形態に係る後席シート上に幼児シートを取り付けた状態を示す模式的な斜視図である。
【図２】第１実施形態に係る後席シートの模式的な斜視図である。
【図３】第１実施形態に係る後席シートの模式的な断面図である。
【図４】第１実施形態に係る幼児シートの模式的な断面図である。
【図５】第１実施形態に係る後席シート上に幼児シートを取り付けた状態を示す模式的な断面図である。
【図６】第１実施形態に係る幼児シートの第１変形例を示す模式的な断面図である。
【図７】第１実施形態に係る幼児シートの第２変形例を示す模式的な断面図である。
【図８】第１実施形態に係る幼児シートの第３変形例を示す模式的な断面図である。
【図９】第１実施形態に係る後席シートの第１変形例を示す模式的な断面図である。
【図１０】第１実施形態に係る後席シートの第２変形例を示す模式的な断面図である。
【図１１】第２実施形態に係る後席シート上に幼児シートを取り付けた状態を示す模式的な断面図である。
【図１２】第３実施形態に係る後席シート上に幼児シートを取り付けた状態を示す模式的な断面図である。
【図１３】第４実施形態に係る後席シート上に幼児シートを取り付けた状態を示す模式的な断面図である。
【図１４】第４実施形態に係る突出部と外部ダクトとの嵌合形態を示す部分断面図である。
【図１５】第５実施形態に係る後席シート上に幼児シートを取り付けた状態を示す模式的な断面図である。
【図１６】第５実施形態の変形例を示す模式的な断面図である。
【図１７】第６実施形態に係る後席シートの模式的な断面図である。
【図１８】第６実施形態に係る幼児シートの模式的な断面図である。
【図１９】第６実施形態に係る幼児シートを後席シート上へ搭載した状態を示すシート構造の模式的な断面図である。
【図２０】第７実施形態の変形例を示すシート構造の模式的な断面図である。
【発明を実施するための形態】
【００２０】
以下、本発明の実施形態について図面を参照して説明する。なお、以下の各実施形態において、先行する実施形態で説明した事項と同一もしくは均等である部分には、同一の参照符号を付し、その説明を省略する場合がある。また、各実施形態において、構成要素の一部だけを説明している場合、構成要素の他の部分に関しては、先行する実施形態において説明した構成要素を適用することができる。
【００２１】
（第１実施形態）
本実施形態に係る車両シート構造、メインシート、および補助シートについて、図１〜図５を用いて説明する。各図面に示す各矢印は、車両搭載時における前後方向、左右方向、および上下方向を示している。このことは、以降の図面においても同様である。
【００２２】
図１、図２に示すように、本実施形態の車両シート構造は、補助シートとして幼児が着座する幼児シート２を車両の構造体１ａに固定されたメインシートを構成する後席シート１に着脱可能な構造となっている。図１では、後席シート１の左側に幼児シート２を搭載する例を示しているが、後席シート１の右側や中央部に幼児シート２を搭載するようにしてもよい。
【００２３】
まず、メインシートである後席シート１の構成について説明する。本実施形態の後席シート１は、図１、図２に示すように、左右の座席が一体となったベンチタイプで形成されている。なお、後席シート１は、左右の座席が独立した独立タイプで形成されていてもよい。
【００２４】
後席シート１には、乗員の座席毎にシートベルト１０が設けられている。シートベルト１０は、伸び縮みする脱着ベルト１０ａ、脱着ベルト１０ａを接続するベルト接続部１０ｂを有している。脱着ベルト１０ａ、およびベルト接続部１０ｂは、ボルト等の締結部材によって車両の構造体１ａに連結されている。
【００２５】
また、後席シート１には、図２に示すように、後述するシートバック１１とシートクッション１２との間に形成される隙間に、幼児シート２に設けられたコネクタ２ａを連結する一対の取付受部１ｂが配設されている。各取付受部１ｂは、車両の構造体１ａに固定されている。
【００２６】
後席シート１は、乗員の上半身側を支持するシートバック１１、乗員の下半身側を支持するシートクッション１２、シートバック１１およびシートクッション１２の外部に配置された外部ダクト１３を有している。シートバック１１およびシートクッション１２は、それぞれ車両の構造体１ａに直接固定されている。
【００２７】
本実施形態のシートバック１１、およびシートクッション１２それぞれは、ウレタンフォーム等の発砲材料で形成されたパッドの表面を表皮部材で覆ったものである。本実施形態のシートバック１１およびシートクッション１２は、図３に示すように、別体で構成されている。
【００２８】
シートバック１１およびシートクッション１２との間の隙間には、空気流を発生させる送風機１４が配設されている。本実施形態の送風機１４は、送風ケース１４１、送風ケース１４１に収容されたファン１４２で構成されている。
【００２９】
送風ケース１４１には、シートバック１１における背面をなす車両の構造体１ａ側の表面に空気の吸込口１４１ａが形成されている。また、送風ケース１４１には、吸込口１４１ａの反対側に空気の吐出口１４１ｂが形成されている。ファン１４２は、図示しない電動モータにより駆動される軸流式のファンで構成されている。なお、ファン１４２は、遠心式のファンや、斜流式のファンで構成されていてもよい。
【００３０】
後席シート１には、送風機１４により送風される送風空気を流通させる主流通部１５が設けられている。本実施形態の主流通部１５は、後席シート１の内部に形成された内部流路１５１、および外部ダクト１３の内部空間である外部流路１５２で構成されている。内部流路１５１および外部流路１５２は、送風機１４の吐出口１４１ｂ（送風機１４との接続部）に近接した位置で分岐している。
【００３１】
本実施形態の内部流路１５１は、主流通部１５における内部メイン流路を構成している。本実施形態の内部流路１５１は、シートバック１１の内部に形成されている。本実施形態の内部流路１５１は、下端側が送風機１４の吐出口１４１ｂに連通すると共に上下方向に延びる流路１５１ａと、当該流路１５１ａに連通する前後方向に延びる流路１５１ｂとを組み合わせた流路構造となっている。内部流路１５１は、後述する複数の通風口１６の一部に連通している。
【００３２】
外部ダクト１３は、シートバック１１とシートクッション１２との間の隙間に配置されており、直線状に延びる樹脂製の筒状部材で構成されている。外部ダクト１３は、その内部空間が外部流路１５２となっている。
【００３３】
外部流路１５２は、主流通部１５における外部メイン流路を構成している。外部流路１５２は、送風機１４の吐出口１４１ｂに近接した位置で内部流路１５１から分岐している。外部ダクト１３は、その一端側が内部流路１５１と外部流路１５２との分岐部１５３に接続され、他端側が複数の通風口１６の一部に連通している。
【００３４】
また、後席シート１には、乗員側に向かって開口するメイン開口部として、複数の通風口１６が開口している。本実施形態の通風口１６は、内部流路１５１に連通する複数の内部通風口１６１、および外部流路１５２に連通する外部通風口１６２で構成されている。
【００３５】
本実施形態の内部通風口１６１は、後席シート１におけるシートバック１１の乗員側の表面に開口している。内部通風口１６１は、送風機１４からの送風空気を乗員側に向かって吹き出す吹出口を構成している。
【００３６】
本実施形態の外部通風口１６２は、外部ダクト１３の一端部を構成している。外部通風口１６２は、後席シート１上に幼児シート２を取り付けた際に、後述する補助側開口部２６に対向して幼児シート２の補助側流通部２４に連通させる開口部である。なお、本実施形態では、複数の通風口１６のうち、外部通風口１６２が補助側開口部２６に対向する接続用開口部を構成する。また、複数の通風口１６のうち、外部通風口１６２以外の通風口である内部通風口１６１が、補助側開口部２６に対向しない非接続用開口部を構成している。
【００３７】
外部通風口１６２には、後席シート１上から幼児シート２を取り外した際に、外部通風口１６２を閉塞するキャップ１７が取り付け可能となっている。キャップ１７は、外部通風口１６２を閉塞する閉塞部材である。
【００３８】
また、本実施形態の後席シート１には、内部流路１５１と外部流路１５２との分岐部１５３に、流路切替部として開閉ドア１８が設けられている。
【００３９】
開閉ドア１８は、送風空気の流通経路を、送風空気が主流通部１５の内部流路１５１を流通する流通経路と、送風空気が主流通部１５の外部流路１５２を介して後述する幼児シート２の補助側流通部２４に流通する流通経路とに切り替え可能に構成されている。
【００４０】
開閉ドア１８は、後席シート１から幼児シート２を取り外した際に、外部流路１５２を閉鎖して、外部流路１５２における送風空気の流通を遮断するように構成されている。また、開閉ドア１８は、後席シート１上に幼児シート２を取り付けた際に、内部流路１５１の空気流れ上流側を閉鎖して、主流通部１５の内部流路１５１における送風空気の流通を遮断するように構成されている。
【００４１】
本実施形態の開閉ドア１８は、基本的には、外部流路１５２を閉鎖する位置（図３の実線位置）が維持されるように図示しない付勢部材によって付勢されている。開閉ドア１８は、外部通風口１６２から送風機１４の吐出口１４１ｂ側に向かう方向に押圧力が作用した際に、外部流路１５２を開放し、内部流路１５１の空気流れ上流側を閉鎖する位置（図３の破線位置）に変位するように構成されている。
【００４２】
具体的には、開閉ドア１８は、図５に示すように、後述する幼児シート２の突出部２７を外部通風口１６２に挿入して押し込んだ際に、当該突出部２７によって押されることで、外部流路１５２を開放すると共に、内部流路１５１の空気流れ上流側を閉鎖する。
【００４３】
続いて、幼児シート２の構成について説明する。図１に示すように、幼児シート２は、幼児の上半身側を支持するアッパーシート部２１、幼児の下半身側を支持するロアシート部２２、および幼児を側方（車両左右方向）から支持する一対のアーム部２３を有する。本実施形態のアッパーシート部２１、ロアシート部２２、一対のアーム部２３それぞれは、ウレタンフォーム等の発砲材料で形成されたパッドの表面をシートカバーで覆ったものである。
【００４４】
また、幼児シート２には、後席シート１に設けられた一対の取付受部１ｂに連結可能な一対のコネクタ２ａが設けられている。各コネクタ２ａは、幼児シート２を後席シート１上に取り付けた際に、幼児シート２における後席シート１の各取付受部１ｂに対応する部位から突出するように構成されている。
【００４５】
本実施形態では、後席シート１に配設された各取付受部１ｂと幼児シート２の各コネクタ２ａによって、幼児シート２を後席シート１に着脱自在に連結可能となっている。本実施形態では、各取付受部１ｂおよび各コネクタ２ａが幼児シート２を後席シート１に連結する連結部材を構成する。
【００４６】
幼児シート２の内部には、図４、図５に示すように、送風空気を流通させる補助側流通部２４が設けられている。本実施形態の補助側流通部２４は、アッパーシート部２１の内部に形成された補助側内部流路２４１で構成されている。本実施形態の補助側内部流路２４１は、下端側が後述する補助側開口部２６に連通すると共に上下方向に延びる流路２４１ａと、当該流路２４１ａに連通する前後方向に延びる流路２４１ｂとを組み合わせた流路構造となっている。
【００４７】
幼児シート２には、乗員である幼児側の表面に空気の通風部をなす補助側通風部２５が形成されている。本実施形態の補助側通風部２５は、アッパーシート部２１における乗員である幼児側の表面に開口すると共に、補助側流通部２４に連通する複数の補助側通風口２５１で構成されている。各補助側通風口２５１は、乗員である幼児側に向かって空気を吹き出す吹出口を構成している。
【００４８】
また、幼児シート２には、その背面の下端部に、幼児シート２における補助側流通部２４を後席シート１における主流通部１５に連通させるための補助側開口部２６が形成されている。補助側開口部２６は、後席シート１上に幼児シート２を取り付けた際に後席シート１の複数の通風口１６の一部に対向する部位に開口している。具体的には、本実施形態の補助側開口部２６は、幼児シート２における後席シート１の外部通風口１６２に対向する部位に開口している。
【００４９】
本実施形態の幼児シート２は、各コネクタ２ａを各取付受部１ｂに連結して後席シート１上に取り付けた際に、補助側開口部２６の位置が、接続用開口部である外部通風口１６２に対向するように位置決めされる構成となっている。つまり、本実施形態の幼児シート２には、各コネクタ２ａを各取付受部１ｂに連結して後席シート１上に取り付けた際に、幼児シート２における外部通風口１６２に対向する部位に補助側開口部２６が形成されている。
【００５０】
本実施形態の補助側開口部２６には、幼児シート２の背面外側に向かって直線状に突出する突出部２７が設けられている。突出部２７は、その内部に空気が流通可能な樹脂製の筒状部材で構成されている。
【００５１】
突出部２７は、外部ダクト１３の内側形状に対応する外側形状を有しており、外部通風口１６２を構成する部位である外部ダクト１３に挿入可能に構成されている。
【００５２】
本実施形態の突出部２７は、外部通風口１６２に挿入して押し込んだ際に、その先端部の位置が開閉ドア１８の配設位置である分岐部１５３まで到達するように、突出方向の長さが設定されている。これにより、突出部２７を外部通風口１６２に挿入して押し込んだ際に、開閉ドア１８に対して吐出口１４１ｂ側に向かう方向に押圧力が作用して、開閉ドア１８を内部流路１５１の空気流れ上流側を閉塞する位置に変位する。
【００５３】
このように、本実施形態の突出部２７は、幼児シート２を後席シート１上に取り付けた際に、開閉ドア１８を内部流路１５１の空気流れ上流側を閉塞する位置に変位させる部材として機能する。なお、本実施形態の幼児シート２は、突出部２７を外部通風口１６２に挿入して押し込んだ際に、幼児シート２の各コネクタ２ａが各取付受部１ｂに連結される構成となっている。
【００５４】
ここで、本実施形態の幼児シート２は、後席シート１上に取り付けた際に、アッパーシート部２１の背面の一部がシートバック１１に接触し、ロアシート部２２の底面がシートクッション１２に接触するように構成されている。
【００５５】
本実施形態の幼児シート２は、後席シート１の表面側に形成された複数の内部通風口１６１の少なくとも一部が幼児シート２の背面側の部位によって閉塞されるように、後席シート１上に取り付けられる。換言すれば、本実施形態では、複数の内部通風口１６１の少なくとも一部が、後席シート１上に幼児シート２を取り付けた際に、幼児シート２の背面側の部位により閉塞されるようになっている。
【００５６】
以上が本実施形態に係る車両用シート構造、メインシート、および補助シートの構成に関する説明である。以下、上述の構成を備える車両用シート構造における空調作動を説明する。
【００５７】
まず、後席シート１から幼児シート２を取り外した際の空調作動について説明する。幼児シート２が後席シート１上から取り外された際には、図３に示すように、開閉ドア１８により、内部流路１５１における空気流れ上流側が開放されると共に外部流路１５２が閉鎖される。さらに、キャップ１７により外部通風口１６２が閉塞される。
【００５８】
この状態で、図示しない制御装置からの指示信号により送風機１４が作動すると、送風機１４から送風された送風空気は、主流通部１５の内部流路１５１を流通する。そして、内部流路１５１を流通する送風空気が、複数の内部通風口１６１を介して後席シート１に着座した乗員に向けて吹き出される。これにより、後席シート１に着座した乗員に対して快適性が付与される。
【００５９】
続いて、後席シート１上に幼児シート２を取り付けた際の空調作動について説明する。後席シート１上に幼児シート２を取り付けた際には、図５に示すように、開閉ドア１８により、内部流路１５１における空気流れ上流側が閉鎖されると共に外部流路１５２が開放される。
【００６０】
この状態で、図示しない制御装置からの指示信号により送風機１４が作動すると、送風機１４から送風された送風空気は、主流通部１５の外部流路１５２を流通する。そして、外部流路１５２を流通する送風空気が、外部通風口１６２および補助側開口部２６を介して補助側流通部２４を流通する。そして、外部流路１５２を流通する送風空気が、補助側通風口２５１から幼児シート２の幼児に向けて吹き出される。これにより、幼児シート２に着座した幼児に対して快適性が付与される。
【００６１】
以上説明した本実施形態の車両用シート構造は、補助シートである幼児シート２に対して、後席シート１上に幼児シート２を取り付けた際に、後席シート１に設けられた主流通部１５を流れる送風空気を流通させる補助側流通部２４を設ける構造となっている。
【００６２】
これによれば、後席シート１上に幼児シート２を取り付けた際に、後席シート１側を流れる空気が、幼児シート２側に流通するので、幼児シート２に対して専用の空調機器を搭載する必要がない。このため、本実施形態の車両用シート構造によれば、幼児シート２に対して専用の空調機器を搭載する構造に比べて、幼児シート２の軽量化を図ることができる。この結果、ユーザによる幼児シート２の着脱に伴う負担を低減して、ユーザの利便性の向上を図ることが可能となる。
【００６３】
加えて、本実施形態の如く、後席シート１側を流れる空気を幼児シート２側に流通させる構造とすれば、幼児シート２に対して専用の空調機器を搭載する構造に比べて、幼児シート２の簡素化を図ることができる。このため、幼児シート２に対する空調機能の付加に伴う無駄を抑えることができる。
【００６４】
従って、本実施形態の車両用シート構造、メインシート、および補助シートによれば、幼児シート２の利便性の向上を図りつつ、幼児シート２に対する空調機能の付加に伴う無駄を抑えることが可能となる。
【００６５】
ここで、シートバック１１やシートクッション１２の内部に形成する内部流路１５１は、前後方向の厚みや車両の構造体１ａとの関係等によって送風空気の流路設計の制約があると、送風空気の流路を大きくすることが難しくなってしまう。
【００６６】
これに対して、シートバック１１やシートクッション１２の外側に配置された外部ダクト１３は、その内部空間である外部流路１５２が、内部流路１５１に比べて設計上の制約を受け難い。
【００６７】
この点を鑑みて、本実施形態の車両用シート構造では、外部ダクト１３の内部空間である外部流路１５２を介して、幼児シート２の補助側流通部２４を後席シート１の主流通部１５に連通させる構造としている。
【００６８】
これによれば、幼児シート２の補助側流通部２４に連通する後席シート１側の送風空気の流路を大きくすることができるので、幼児シート２の補助側流通部２４を流通する送風空気の流量を充分に確保することが可能となる。
【００６９】
また、本実施形態では、乗員の座り心地に影響が少なく、且つ、視覚的にも目立たないシートバック１１とシートクッション１２との間の隙間に外部ダクト１３を配置している。これによれば、外部ダクト１３が乗員の座り心地や、後席シート１の意匠性に影響してしまうことを抑制できる。
【００７０】
ここで、後席シート１上に幼児シート２を取り付けた際に、後席シート１に形成された複数の通風口１６が車室内に連通していると、当該通風口１６を介して車室内と主流通部１５が直接連通し、幼児シート２を流通する送風空気の流量が減少してしまう。
【００７１】
この点を鑑み、本実施形態では、主流通部１５の内部流路１５１と外部流路１５２との分岐部１５３に、内部流路１５１と外部流路１５２とを選択的に開閉する開閉ドア１８を設けている。さらに、本実施形態では、後席シート１上に取り付けた際に、開閉ドア１８により、主流通部１５の内部流路１５１を閉鎖し、外部流路１５２を開放する構造となっている。
【００７２】
これによれば、後席シート１上に幼児シート２を取り付けた際に、後席シート１に形成された複数の通風口１６からの送風空気が漏れないので、幼児シート２を流通する送風空気の流量を充分に確保することができる。
【００７３】
特に、本実施形態では、幼児シート２の補助側開口部２６に幼児シート２の外側に向かって延びる突出部２７を設け、当該突出部２７を開閉ドア１８の開閉を行う部材として機能させている。これによれば、開閉ドア１８を開閉するアクチュエータ等の専用部品の追加を抑えることができるので、車両シート構造を簡素な構成で実現することができる。
【００７４】
また、本実施形態の如く、後席シート１の各取付受部１ｂに幼児シート２の各コネクタ２ａを連結した際に、補助側開口部２６の位置が、外部通風口１６２に対向するように位置決めされる構造を採用することが望ましい。これによれば、後席シート１の各取付受部１ｂに幼児シート２の各コネクタ２ａを連結した後に、補助側開口部２６と外部通風口１６２との位置合わせが不要となり、ユーザによる幼児シート２の着脱に伴う負担を低減可能となるからである。
【００７５】
ここで、本実施形態では、分岐部１５３の位置を送風機１４の吐出口１４１ｂに近接する位置、すなわち、シートバック１１における前後方向の中央部付近に設ける例について説明したが、これに限定されない。例えば、分岐部１５３の位置を送風機１４の吐出口１４１ｂよりも乗員側の表面に近い位置に設けることが望ましい。これによれば、幼児シート２の突出部２７の長さを短くすることができ、ユーザによる幼児シート２の着脱に伴う負担を抑えることができる。なお、本実施形態では、突出部２７として筒状部材を採用する例について説明したが、これに限定されない。本実施形態の突出部２７は、少なくとも開閉ドア１８を開閉可能であればよく、例えば、棒状の部材や板状の部材で構成してもよい。
【００７６】
以下、第１実施形態の変形例について説明する。以下の変形例は、第１実施形態以降の各実施形態において、原理的に可能な範囲で適用可能である。
（幼児シートの第１変形例）
補助シートを構成する幼児シート２は、図６に示すように、アッパーシート部２１、およびロアシート部２２の双方に、補助側流通部２４および補助側通風部２５を設けるようにしてもよい。これによれば、幼児の上半身側だけでなく下半身側にも空気を吹き出すことで、幼児に対して快適性を与えることができる。
（幼児シートの第２変形例）
補助シートを構成する幼児シート２は、図７に示すように、アッパーシート部２１、およびロアシート部２２のうち、ロアシート部２２に補助側流通部２４や補助側通風部２５を設けるようにしてもよい。これによれば、幼児の下半身側に空気を吹き出すことで、幼児に対して快適性を与えることができる。
（幼児シートの第３変形例）
補助シートを構成する幼児シート２は、図８に示すように、補助側流通部２４を通気性のある通気部材２４２で構成してもよい。この場合、通気部材２４２における幼児側の表面部位２５２が補助側通風部２５を構成することになる。
（後席シートの第１変形例）
メインシートを構成する後席シート１は、図９に示すように、シートバック１１およびシートクッション１２の双方に、主流通部１５の内部流路１５１、および内部通風口１６１を形成するようにしてもよい。
（後席シートの第２変形例）
メインシートを構成する後席シート１は、図１０に示すように、シートクッション１２に対して、主流通部１５の内部流路１５１、および内部通風口１６１を形成するようにしてもよい。
【００７７】
（第２実施形態）
次に、第２実施形態について説明する。本実施形態では、開閉ドア１８を廃している点が第１実施形態と相違している。本実施形態では、第１実施形態と同様または均等な部分についての説明を省略、または簡略化して説明する。
【００７８】
本実施形態の車両シート構造は、図１１に示すように、開閉ドア１８ではなく、突出部２７によって、後席シート１における送風空気の流通経路を切り替える構成としている。本実施形態では、突出部２７が流路切替部を構成している。
【００７９】
本実施形態の突出部２７は、外部ダクト１３に挿入して押し込んだ際に、その側面により、後席シート１の内部流路１５１の空気流れ上流側を閉塞するように構成されている。具体的には、突出部２７は、外部ダクト１３に挿入して押し込んだ際に、その先端部の位置が送風機１４の吐出口１４１ｂまで到達するように、突出方向の長さが設定されている。
【００８０】
その他の構成は、第１実施形態と同様である。本実施形態の構成によっても、第１実施形態と同様に、ユーザによる幼児シート２の着脱に伴う負担を低減して、ユーザの利便性の向上を図ることが可能となる。
【００８１】
特に、本実施形態の構成によれば、突出部２７を流路切替部として機能させているので、開閉ドア１８のような専用部品の追加を抑えることができる。つまり、幼児シート２に対する空調機能の付加に伴う無駄を抑えることができる。
【００８２】
（第３実施形態）
次に、第３実施形態について説明する。本実施形態では、開閉ドア１８を廃している点が第１実施形態と相違している。本実施形態では、第１実施形態と同様または均等な部分についての説明を省略、または簡略化して説明する。
【００８３】
本実施形態の車両シート構造は、図１２に示すように、後席シート１における送風空気の流通経路を切り替える専用部品である開閉ドア１８や突出部２７を省略している。
【００８４】
このような構成とすれば、専用部品の追加を抑えることができる点で有利となるが、後席シート１上に幼児シート２を取り付けた際に、内部通風口１６１から送風空気が漏れて、幼児シート２を流通する送風空気の流量が減少してしまうことが懸念される。
【００８５】
そこで、本実施形態では、幼児シート２の補助側流通部２４を、後席シート１の主流通部１５の内部流路１５１に比べて、送風空気の流通抵抗を小さくなるように構成している。具体的には、本実施形態では、補助側流通部２４における送風空気の流通経路の断面積を、主流通部１５の内部流路１５１における送風空気の流通経路の断面積に比べて大きくなるように構成している。
【００８６】
これによれば、後席シート１上に幼児シート２を取り付けた際に、通風口から送風空気が漏れてしまう量を抑えることができるので、幼児シート２を流通する送風空気の流量を充分に確保することが可能となる。
【００８７】
また、後席シート１から幼児シート２を取り外した際に、例えば、外部通風口１６２をキャップ１７により閉塞するようにしてもよい。この場合、キャップ１７が流路切替部を構成する。
【００８８】
また、後席シート１から幼児シート２を取り外した際に、外部通風口１６２が開放された状態に維持し、外部通風口１６２を送風空気の吹出口（通風部）として機能させてもよい。
【００８９】
（第４実施形態）
次に、第４実施形態について説明する。本実施形態では、後席シート１における外部通風口１６２を構成する部位に幼児シート２の突出部２７を嵌合させることで、後席シート１の幼児シート２を後席シート１に連結する点が第１実施形態と相違している。本実施形態では、第１実施形態と同様または均等な部分についての説明を省略、または簡略化して説明する。
【００９０】
本実施形態の車両用シート構造については、図１３、図１４を用いて説明する。本実施形態の車両用シート構造は、突出部２７が、外部通風口１６２を構成する部位である外部ダクト１３に嵌合可能に構成されている。
【００９１】
具体的には、突出部２７には、その外周側に、外部ダクト１３の内部に形成された溝部１３１に嵌合する突起２７１が形成されている。突出部２７は、外部ダクト１３の内部に挿入して押し込む際に、突起２７１が外部ダクト１３の溝部１３１に嵌り込むことで、外部通風口１６２を構成する部位に嵌合可能となっている。
【００９２】
また、本実施形態の突出部２７には、外部ダクト１３との嵌合状態を強化するために、その周囲に突出部２７よりも剛性の高い第１補強部材２７２が設けられている。また、外部ダクト１３には、突出部２７との嵌合状態を強化するために、その周囲に外部ダクト１３よりも剛性の高い第２補強部材１３２が設けられている。
【００９３】
その他の構成は、第１実施形態と同様である。本実施形態の構成によっても、第１実施形態と同様に、ユーザによる幼児シート２の着脱に伴う負担を低減して、ユーザの利便性の向上を図ることが可能となる。
【００９４】
特に、本実施形態の構成では、幼児シート２の突出部２７、および後席シート１における外部通風口１６２を構成する部位を、幼児シート２を後席シート１に連結する連結部材としても機能する。このため、後席シート１の一対の取付受部１ｂや幼児シート２の一対のコネクタ２ａといった専用の連結部材を省略することができるので、車両用シート構造の簡素化を図ることが可能となる。
【００９５】
ここで、本実施形態の如く、突出部２７および外部ダクト１３それぞれを第１、第２補強部材２７２、１３２で補強することが望ましいが、各補強部材２７２、１３２は必須の構成要素ではない。例えば、突出部２７および外部ダクト１３をその周囲よりも剛性の高い材料（例えば、金属）で構成した場合には、各補強部材２７２、１３２を省略してもよい。
【００９６】
また、本実施形態では、外部通風口１６２を構成する外部ダクト１３の内部に形成された溝部１３１に突出部２７に設けた突起２７１を嵌合させる例について説明したが、これに限定されない。例えば、外部通風口１６２を構成する外部ダクト１３の内部に突起（図示略）を設け、突出部２７に形成した溝部（図示略）に嵌合させるようにしてもよい。
【００９７】
（第５実施形態）
次に、第５実施形態について説明する。本実施形態では、第１実施形態と同様または均等な部分についての説明を省略、または簡略化して説明する。
【００９８】
本実施形態では、図１５に示すように、後席シート１に対して、車室内の温度を調整する室内空調ユニット１００の吹出ダクト１１０を接続している。
【００９９】
室内空調ユニット１００は、車室内に吹き出す空気の流れを発生させる空調用送風機１２０、車室内へ吹き出す空気を冷却する冷却器（図示略）、および車室内へ吹き出す空気を加熱する加熱器（図示略）をユニット化した装置である。
【０１００】
本実施形態の車両用シート構造は、送風機１４の吸込口１４１ａに室内空調ユニット１００の吹出ダクト１１０を接続している。つまり、本実施形態では、室内空調ユニット１００にて温度調整された空気を、送風機１４により後席シート１の主流通部１５に導入する構成としている。
【０１０１】
その他の構成は、第１実施形態と同様である。本実施形態の構成によっても、第１実施形態と同様に、ユーザによる幼児シート２の着脱に伴う負担を低減して、ユーザの利便性の向上を図ることが可能となる。
【０１０２】
特に、本実施形態の構成によれば、室内空調ユニット１００にて温度調整された空気が後席シート１の主流通部１５に導入されるので、後席シート１に着座する乗員や、幼児シート２に着座する幼児の快適性の向上を図ることができる。
【０１０３】
ここで、本実施形態の如く、室内空調ユニット１００の吹出ダクト１１０に後席シート１に接続する構造では、空調用送風機１２０で発生した空気流が後席シート１の主流通部１５に流通する。このため、図１６に示すように、後席シート１の送風機１４を省略してもよい。このような構成にすることで、車両用シート構造の簡素化を図ることができる。
【０１０４】
（第６実施形態）
次に、第６実施形態について説明する。本実施形態では、後席シート１に形成された内部通風口１６１を介して、幼児シート２の補助側流通部２４を後席シート１の内部に形成された主流通部１５に連通させる点が第１実施形態と相違している。本実施形態では、第１実施形態と同様または均等な部分についての説明を省略、または簡略化して説明する。
【０１０５】
本実施形態の後席シート１は、図１７に示すように、シートバック１１、およびシートクッション１２を有して構成されており、外部ダクト１３が設けられていない構成となっている。
【０１０６】
本実施形態の後席シート１には、主流通部１５として、シートバック１１の内部に内部流路１５１が形成されている。また、本実施形態の後席シート１には、シートバック１１の乗員側の表面に、メイン開口部として内部流路１５１に連通する内部通風口１６１が複数開口している。
【０１０７】
本実施形態では、複数の内部通風口１６１の一部が、後席シート１上に幼児シート２を取り付けた際に、幼児シート２の補助側開口部２６に対向して幼児シート２の補助側流通部２４に連通するようになっている。具体的には、本実施形態では、複数の内部通風口１６１のうち、シートバック１１の下方に開口する下方側通風口１６１ａが幼児シート２の補助側開口部２６に対向するようになっている。
【０１０８】
本実施形態の下方側通風口１６１ａには、開閉ドア１８が設けられている。本実施形態の開閉ドア１８は、基本的には、図示しない付勢部材によって、下方側通風口１６１ａを閉鎖する位置（図１７の実線位置）に設定される構成となっている。開閉ドア１８は、内側に向かう方向の押圧力が作用した際に、下方側通風口１６１ａを開放する位置（図１７の破線位置）に設定される構成となっている。
【０１０９】
続いて、本実施形態の幼児シート２には、図１８に示すように、背面の下端部に補助側流通部２４を主流通部１５に連通させるための補助側開口部２６が開口している。本実施形態の補助側開口部２６は、後席シート１上に幼児シート２を取り付けた際に後席シート１の下方側通風口１６１ａに対向する部位に開口している。
【０１１０】
本実施形態の補助側開口部２６に設けられた突出部２７は、下方側通風口１６１ａの内側形状に対応する外側形状を有しており、下方側通風口１６１ａの内部に挿入可能に構成されている。
【０１１１】
本実施形態の突出部２７は、図１９に示すように、下方側通風口１６１ａに挿入した際に、開閉ドア１８に接触する。これにより、開閉ドア１８が下方側通風口１６１ａを開放する位置に変位する。この際、補助側流通部２４は、下方側通風口１６１ａを介して後席シート１の主流通部１５に連通する。
【０１１２】
このように、本実施形態の構成では、後席シート１上に幼児シート２を取り付けた際に、突出部２７により開閉ドア１８が下方側通風口１６１ａを開放する位置に変位することで、補助側流通部２４が下方側通風口１６１ａを介して主流通部１５に連通する。
【０１１３】
その他の構成は、第１実施形態と同様である。本実施形態の構成によっても、第１実施形態と同様に、ユーザによる幼児シート２の着脱に伴う負担を低減して、ユーザの利便性の向上を図ることが可能となる。
【０１１４】
特に、本実施形態では、乗員側の表面に開口する下方側通風口１６１ａを利用して、補助側流通部２４を主流通部１５に連通させる構造としている。これによれば、第１実施形態の外部ダクト１３が不要となることから、幼児シート２に対する空調機能の付加に伴う無駄を抑えることができる。
【０１１５】
ここで、後席シート１上に幼児シート２を取り付けた際に、後席シート１に形成された複数の通風口１６が車室内に連通していると、当該通風口１６を介して車室内と主流通部１５が直接連通し、幼児シート２を流通する送風空気の流量が減少してしまう。
【０１１６】
本実施形態では、図１９に示すように、後席シート１に形成された複数の通風口１６（内部通風口１６１）の少なくとも一部が、後席シート１上に幼児シート２を取り付けた際に、幼児シート２の背面側の部位により閉塞されるようになっている。
【０１１７】
これによれば、後席シート１上に幼児シート２を取り付けた際に、後席シート１に形成された複数の通風口１６から車室内へ空気が漏れることを抑えることができるので、幼児シート２を流通する送風空気の流量が充分に確保することができる。
【０１１８】
本実施形態では、主流通部１５をシートバック１１に設ける例について説明したが、これに限定されず、例えば、主流通部１５は、シートクッション１２に形成されていてもよいし、シートバック１１およびシートクッション１２の双方に形成されていてもよい。
【０１１９】
また、本実施形態では、下方側通風口１６１ａを開閉ドア１８により開閉する例について説明したが、これに限定されず、例えば、下方側通風口１６１ａをキャップ１７により閉塞するようにしてもよい。この場合、キャップ１７が流路切替部を構成する。
【０１２０】
また、後席シート１から幼児シート２を取り外した際に、下方側通風口１６１ａが開放された状態に維持し、下方側通風口１６１ａを送風空気の吹出口（通風部）として機能させてもよい。
【０１２１】
（第７実施形態）
次に、第７実施形態について説明する。本実施形態では、開閉ドア１８を廃している点が第６実施形態と相違している。本実施形態では、第１実施形態と同様または均等な部分についての説明を省略、または簡略化して説明する。
【０１２２】
本実施形態の幼児シート２は、図２０に示すように、補助側流通部２４を幼児シート２の表裏を貫通する貫通穴２４１ｃで構成している。この貫通穴２４１ｃは、幼児シート２における後席シート１に形成された複数の通風口１６に対向する部位に形成されている。なお、本実施形態では、各貫通穴２４１ｃにおける乗員である幼児側の表面が補助側通風部２５を構成し、各貫通穴２４１ｃにおける背面側が補助側開口部２６を構成している。
【０１２３】
その他の構成は、第６実施形態と同様である。本実施形態の構成によっても、第６実施形態と同様に、ユーザによる幼児シート２の着脱に伴う負担を低減して、ユーザの利便性の向上を図ることが可能となる。
【０１２４】
特に、本実施形態では、補助側流通部２４を幼児シート２の表裏を貫通する貫通穴２４１ｃで構成し、当該貫通穴２４１ｃを後席シート１の複数の通風口１６を介して主流通部１５に連通させる構成としている。これによれば、第６実施形態の開閉ドア１８が不要となることから、幼児シート２に対する空調機能の付加に伴う無駄を抑えることができる。
【０１２５】
（他の実施形態）
以上、本発明の実施形態について説明したが、本発明は上述の実施形態に限定されるものではなく、特許請求の範囲に記載した範囲内において適宜変更が可能である。例えば、以下のように種々変形可能である。
【０１２６】
（１）上述の各実施形態では、幼児シート２を補助シートとして後席シート１に着脱する車両用シート構造について説明したが、補助シートは、幼児シート２に限定されない。例えば、学童用や成人用に設計された保護用シート、車両の内装の意匠を変更するためのカバーシート等を補助シートとして採用してもよい。また、乗員の下半身側だけを支持するシートや、乗員の上半身側だけを支持するシートを補助シートとして採用してもよい。なお、補助シートを取り付けるメインシートは、後席シート１に限定されないことはいうまでもない。
【０１２７】
（２）上述の各実施形態では、後席シート１や幼児シート２から乗員側へ空気を吹き出す車両用シート構造について説明したが、これに限らず、例えば、乗員側から後席シート１や幼児シート２へ空気を吸い込む構成としてもよい。
【０１２８】
（３）上述の各実施形態では、幼児シート２の各コネクタ２ａを後席シート１の各取付受部１ｂにより、後席シート１上に幼児シート２を取り付ける例について説明したが、これに限定されない。例えば、シートベルト１０により後席シート１上に幼児シート２を取り付けるようにしてもよい。
【０１２９】
（４）上述の第１実施形態で説明したように、外部ダクト１３はシートバック１１とシートクッション１２との間の隙間に配置することが望ましいが、これに限定されず、シートバック１１の上部等に配置するようにしてもよい。このことは、送風機１４についても同様である。
【０１３０】
（５）上述の第１実施形態の如く、開閉ドア１８を幼児シート２に設けた突出部２７の挿入の有無により開閉する構成を採用することが望ましいが、これに限らず、開閉ドア１８をアクチュエータで開閉する開閉弁で構成としてもよい。
【０１３１】
（６）上述の各実施形態において、実施形態を構成する要素は、特に必須であると明示した場合および原理的に明らかに必須であると考えられる場合等を除き、必ずしも必須のものではないことは言うまでもない。また、各実施形態は、原理的に可能な範囲で適宜組み合わせることができる。
【０１３２】
（７）上述の各実施形態において、実施形態の構成要素の個数、数値、量、範囲等の数値が言及されている場合、特に必須であると明示した場合および原理的に明らかに特定の数に限定される場合等を除き、その特定の数に限定されない。
【０１３３】
（８）上述の各実施形態において、構成要素等の形状、位置関係等に言及するときは、特に明示した場合および原理的に特定の形状、位置関係等に限定される場合等を除き、その形状、位置関係等に限定されない。
【符号の説明】
【０１３４】
１        後席シート（メインシート）
１５      主流通部
１６      通風口（メイン開口部）
２        幼児シート（補助シート）
２４      補助側流通部
２５      補助側通風部
【図１】
2016168944.tif 000003
【図２】
2016168944.tif 000004
【図３】
2016168944.tif 000005
【図４】
2016168944.tif 000006
【図５】
2016168944.tif 000007
【図６】
2016168944.tif 000008
【図７】
2016168944.tif 000009
【図８】
2016168944.tif 000010
【図９】
2016168944.tif 000011
【図１０】
2016168944.tif 000012
【図１１】
2016168944.tif 000013
【図１２】
2016168944.tif 000014
【図１３】
2016168944.tif 000015
【図１４】
2016168944.tif 000016
【図１５】
2016168944.tif 000017
【図１６】
2016168944.tif 000018
【図１７】
2016168944.tif 000019
【図１８】
2016168944.tif 000020
【図１９】
2016168944.tif 000021
【図２０】
2016168944.tif 000022